(57)【要約】【課題】  ブロードキャスト放送やマルチキャスト通信などの１対多の単方向通信において、受信環境が劣化した時の消費電力を低減させる無線通信端末を実現する。【解決手段】  無線通信部１０２からの情報を通信制御部１０３がデコードして解析情報を得る。コンテンツ受信判定部１０５は、その解析情報に含まれるコンテンツ伝送レート情報に対応する受信電波環境が、コンテンツ受信閾値保存部１０６に保存されるコンテンツ受信閾値以下の場合に、通信制御部１０３にコンテンツ受信処理の停止を指示する。したがって、コンテンツ受信前に、受信を失敗する可能性が高いと判定することができ、受信を実施しないことで、無駄な電力消費を回避して消費電力低減を図る。【選択図】  図１
2006333160.tif 000002
【特許請求の範囲】
【請求項１】
無線通信を行う無線通信手段と、
前記無線通信手段から受信電波環境情報とコンテンツ情報を受信し、前記無線通信手段からの情報をデコードして得られる解析情報に従い、コンテンツ受信処理を制御する通信制御手段と、
前記無線通信手段の受信特性に合わせたコンテンツ伝送レート情報と受信電波環境情報をテーブル化して対応付けて保存するコンテンツ受信閾値保存手段と、
前記通信制御手段から前記受信電波環境情報および前記コンテンツ情報を受信して、前記コンテンツ受信閾値保存手段の伝送情報とを照合し、前記コンテンツ受信処理の実行の有無を判定するコンテンツ受信判定手段とを備え、
前記コンテンツ受信判定手段は、前記解析情報に含まれるコンテンツの伝送レート情報に対応する受信電波環境が、前記コンテンツ受信閾値に設定された値以下の場合には、前記コンテンツ受信処理の停止を前記通信制御手段に指示することを特徴とする無線通信端末。
【請求項２】
前記コンテンツ受信判定手段は、前記解析情報に含まれる受信電波環境に対応するコンテンツの伝送レート情報が、前記コンテンツ受信閾値に設定された値以上の場合にはコンテンツ受信を実施しないことを特徴とする請求項１に記載の無線通信端末。
【請求項３】
無線通信を行う無線通信手段と、
前記無線通信手段から受信電波環境情報とコンテンツ情報を受信し、前記無線通信手段からの情報をデコードして得られる解析情報に従い、コンテンツ受信処理を制御する通信制御手段と、
ユーザが情報を入力するユーザインタフェース手段と、
前記通信制御手段と前記コンテンツ受信閾値保存手段と前記ユーザインタフェースからの情報を利用するアプリケーション手段と、
前記アプリケーション手段で処理した結果と前記通信制御部の情報を表示するための表示手段と、
前記無線通信手段の受信特性に合わせたコンテンツ伝送レート情報と受信電波環境情報をテーブル化して対応付けてある情報と前記ユーザインタフェース手段からの入力情報を保存することが可能なコンテンツ受信閾値保存手段と、
前記通信制御手段から前記受信電波環境情報および前記コンテンツ情報を受信して、前記コンテンツ受信閾値保存手段の伝送情報とを照合して前記コンテンツ受信処理を実行の有無を判定するコンテンツ受信判定手段とを備え、
前記アプリケーション手段または前記コンテンツ受信判定手段により前記コンテンツ受信を制御することを特徴とする無線通信端末。
【請求項４】
前記コンテンツ受信閾値保存手段は、前記無線通信手段の受信特性に合わせたコンテンツ伝送レート情報と受信電波環境情報と、前記受信電波環境情報に対応する受信成功確率情報とを保持することを特徴とする請求項３に記載の無線通信端末。
【請求項５】
前記通信制御手段から取得するコンテンツ伝送レート情報と受信電波環境情報を、前記コンテンツ受信閾値保存手段と照合して、受信するコンテンツの伝送レートと現在の受信電波環境に合致した受信成功確率を検索し、前記アプリケーション手段を介して、前記表示手段から使用者に受信成功率を通知することを特徴とする請求項４に記載の無線通信端末。
【請求項６】
前記受信成功確率を前記表示で手段表示し、前記受信成功確率でのコンテンツ受信を承認するかをコンテンツ受信者に問い合わせるアプリケーション手段を有することを特徴とする請求項５に記載の無線通信端末。
【請求項７】
前記ユーザインタフェース手段から、コンテンツ受信ができない時刻を入力でき、前記時刻情報を前記コンテンツ受信閾値保存手段に保存する保存手段を備え、前記アプリケーション手段において、前記保存した時刻にはコンテンツ受信を実施しないことを特徴とする請求項３に記載の無線通信端末。
【請求項８】
前記コンテンツ受信閾値保存手段に、コンテンツ送信時刻情報を保持し、前記通信制御手段から前記受信電波環境情報および前記コンテンツ情報を受信して、前記コンテンツ受信閾値保存手段の伝送情報とを照合し、前記受信電波環境情報が前記コンテンツ受信閾値を満たしていない場合には、前記コンテンツ送信時刻に、受信電波環境の良い場所に移動するようにユーザに通知することを特徴とする請求項３に記載の無線通信端末。
【請求項９】
通信端末を駆動させるための電池を備え、電池の残容量を監視して、コンテンツ受信に十分な電池残容量がない場合には、前記コンテンツ受信閾値保存手段の情報に関わらず、コンテンツ受信の実施の有無をユーザに問い合わせることを特徴とする請求項３に記載の無線通信端末。
【請求項１０】
通信端末を駆動させるための電池を備え、電池の残容量を監視して、コンテンツ受信に十分な電池残容量がない場合には、前記コンテンツ受信閾値保存手段の情報に関わらず、コンテンツ受信を実施しないことを特徴とする請求項３に記載の無線通信端末。
【発明の詳細な説明】
【技術分野】
【０００１】
本発明は、受信環境が劣化した時の消費電力を低減する無線通信端末に関する。
【背景技術】
【０００２】
データ伝送では、送信側と受信側とで一致したデータ伝送レート（物理レート）を選択してデータを送受信する。単位時間当りに送信するパケットサイズが大きい程伝送レートを高く設定する必要がある。基地局から見通しの良い位置にある無線端末等、基地局に近い端末は、無線伝送環境が良く大きい伝送レートが割当てられてもエラーが少なくてデータ伝送ができる。しかし、基地局から遠距離に位置する端末や地下などで電波の届きにくい場所に位置する端末は、ノイズ、干渉、減衰などのエラー要因を受け易くなる為、大きい伝送レートが割当てられた場合には、一回に送るデータ量が多いためにその間に影響を受け易く、エラーが多くデータ伝送が失敗する場合がある。このような状況の対策として、例えば特許文献１には、受信された信号の受信環境を測定して、受信環境に対応して伝送レートを定めたテーブルに従って、伝送レートを決定することにより、データ伝送を実施する技術が開示されている。
【０００３】
【特許文献１】特開２００３−５１７８１号公報
【発明の開示】
【発明が解決しようとする課題】
【０００４】
ところで、一般的にデータ通信では、送受信局間でサポートされている複数の伝送レート（通信速度）の中から１つの伝送レートを選択し、以後選択した伝送レートで通信を行う。特許文献１に記載の技術は、受信環境に対応する伝送レートテーブルを用意することで双方向のネゴシエーションにより、受信端末は電波環境に合った伝送レート、送信側のサポートする伝送レートを選択し、端末に合った通信が可能となる。
【０００５】
しかしながら、ブロードキャスト放送やマルチキャスト通信のような１対多の単方向通信において、送信側の伝送レートが送信側で一方的に決まる場合では次の課題が考えられる。つまり、電波環境の悪い（電波環境で表される値が小さく、通信が良好に行えない）端末において、大きい伝送レートが割当てられた場合は、エラーが多くデータ伝送が失敗する可能性が高いが、受信端末側から伝送レートをコントロールできないため、受信端末側で受信環境に応じて伝送レートを変化させても、送受信局間の伝送レートが合わないため、通信ができない状況となる。
【０００６】
上記状況の場合に、受信側で伝送レートを変更し、データ受信を試みようとしてもデータ通信は成立しないため、この動作は、端末の電力を無駄に消費してしまう原因になる。また、送信側の伝送レートに合わせてデータ通信を試みる場合に、電波環境がある電波強度以下の状況では、電波状況に合わない伝送レートでの通信は、エラーが多く、結局データ通信は失敗となってしまう。
【０００７】
そこで、本発明は、このような事情に鑑みてなされたもので、ブロードキャスト放送やマルチキャスト通信などの１対多の単方向通信において、受信環境が劣化した時の消費電力を低減させることができる無線通信端末を提供することを目的としている。
【課題を解決するための手段】
【０００８】
上記目的を達成するため、請求項１に記載の発明では、無線通信を行う無線通信手段と、前記無線通信手段から受信電波環境情報とコンテンツ情報を受信し、前記無線通信手段からの情報をデコードして得られる解析情報に従い、コンテンツ受信処理を制御する通信制御手段と、前記無線通信手段の受信特性に合わせたコンテンツ伝送レート情報と受信電波環境情報をテーブル化して対応付けて保存するコンテンツ受信閾値保存手段と、前記通信制御手段から前記受信電波環境情報および前記コンテンツ情報を受信して、前記コンテンツ受信閾値保存手段の伝送情報とを照合し、前記コンテンツ受信処理の実行の有無を判定するコンテンツ受信判定手段とを備え、前記コンテンツ受信判定手段は、前記解析情報に含まれるコンテンツの伝送レート情報に対応する受信電波環境が、前記コンテンツ受信閾値に設定された値以下の場合には、前記コンテンツ受信処理の停止を前記通信制御手段に指示することを特徴とする。
【０００９】
上記請求項１に従属する請求項２に記載の発明では、前記コンテンツ受信判定手段は、前記解析情報に含まれる受信電波環境に対応するコンテンツの伝送レート情報が、前記コンテンツ受信閾値に設定された値以上の場合にはコンテンツ受信を実施しないことを特徴とする。
【００１０】
請求項３に記載の発明では、無線通信を行う無線通信手段と、前記無線通信手段から受信電波環境情報とコンテンツ情報を受信し、前記無線通信手段からの情報をデコードして得られる解析情報に従い、コンテンツ受信処理を制御する通信制御手段と、ユーザが情報を入力するユーザインタフェース手段と、前記通信制御手段と前記コンテンツ受信閾値保存手段と前記ユーザインタフェースからの情報を利用するアプリケーション手段と、前記アプリケーション手段で処理した結果と前記通信制御部の情報を表示するための表示手段と、前記無線通信手段の受信特性に合わせたコンテンツ伝送レート情報と受信電波環境情報をテーブル化して対応付けてある情報と前記ユーザインタフェース手段からの入力情報を保存することが可能なコンテンツ受信閾値保存手段と、前記通信制御手段から前記受信電波環境情報および前記コンテンツ情報を受信して、前記コンテンツ受信閾値保存手段の伝送情報とを照合して前記コンテンツ受信処理を実行の有無を判定するコンテンツ受信判定手段とを備え、前記アプリケーション手段または前記コンテンツ受信判定手段により前記コンテンツ受信を制御することを特徴とする。
【００１１】
上記請求項３に従属する請求項４に記載の発明では、前記コンテンツ受信閾値保存手段は、前記無線通信手段の受信特性に合わせたコンテンツ伝送レート情報と受信電波環境情報と、前記受信電波環境情報に対応する受信成功確率情報とを保持することを特徴とする。
【００１２】
上記請求項４に従属する請求項５に記載の発明では、前記通信制御手段から取得するコンテンツ伝送レート情報と受信電波環境情報を、前記コンテンツ受信閾値保存手段と照合して、受信するコンテンツの伝送レートと現在の受信電波環境に合致した受信成功確率を検索し、前記アプリケーション手段を介して、前記表示手段から使用者に受信成功率を通知することを特徴とする。
【００１３】
上記請求項５に従属する請求項６に記載の発明では、前記受信成功確率を前記表示で手段表示し、前記受信成功確率でのコンテンツ受信を承認するかをコンテンツ受信者に問い合わせるアプリケーション手段を有することを特徴とする。
【００１４】
上記請求項３に従属する請求項７に記載の発明では、前記ユーザインタフェース手段から、コンテンツ受信ができない時刻を入力でき、前記時刻情報を前記コンテンツ受信閾値保存手段に保存する保存手段を備え、前記アプリケーション手段において、前記保存した時刻にはコンテンツ受信を実施しないことを特徴とする。
【００１５】
上記請求項３に従属する請求項９に記載の発明では、前記コンテンツ受信閾値保存手段に、コンテンツ送信時刻情報を保持し、前記通信制御手段から前記受信電波環境情報および前記コンテンツ情報を受信して、前記コンテンツ受信閾値保存手段の伝送情報とを照合し、前記受信電波環境情報が前記コンテンツ受信閾値を満たしていない場合には、前記コンテンツ送信時刻に、受信電波環境の良い場所に移動するようにユーザに通知することを特徴とする。
【００１６】
上記請求項３に従属する請求項９に記載の発明では、通信端末を駆動させるための電池を備え、電池の残容量を監視して、コンテンツ受信に十分な電池残容量がない場合には、前記コンテンツ受信閾値保存手段の情報に関わらず、コンテンツ受信を実施の有無をユーザに問い合わせることを特徴とする。
上記請求項３に従属する請求項１０に記載の発明では、通信端末を駆動させるための電池を備え、電池の残容量を監視して、コンテンツ受信に十分な電池残容量がない場合には、前記コンテンツ受信閾値保存手段の情報に関わらず、コンテンツ受信を実施しないことを特徴とする請求項３に記載の無線通信端末。
【発明の効果】
【００１７】
本発明では、無線通信手段からの情報をデコードして得られる解析情報に含まれるコンテンツの伝送レート情報に対応する受信電波環境が、コンテンツ受信閾値以下の場合には、コンテンツ受信処理の停止を指示するので、コンテンツ受信前に、受信を失敗する可能性が高いと判定することができ、受信を実施しないことで、無駄な電力消費を回避して消費電力低減を図る。
【発明を実施するための最良の形態】
【００１８】
以下、図面を参照して本発明の実施の形態について説明する。
Ａ．第１実施形態
（１）構成
図１は、本発明の第１実施形態による通信端末１００の構成を示すブロック図である。この図において、１０１はアンテナ、１０２はアンテナ１０１にて受信した受信信号を通信制御部１０３に出力する一方、通信制御部１０３から供給される送信信号をアンテナ１０１を介して無線送信する無線通信部である。無線通信部１０２は、アンテナ１０１の受信電波環境を測定する機能も有し、その測定結果を（受信電波環境）を１０３に供給する。
【００１９】
通信制御部１０３は、無線通信部１０２から送られてくる情報をデコード処理して、送信側から送られてくる情報を解析するデコード処理部１０４を含み、このデコード処理部１０４においてデコードされた情報を解析し、その情報に従い通信を制御する。例えば、デコード処理部１０４でデコードされた情報に、コンテンツの伝送レート情報が含まれている場合には、その伝送レートに合った通信方式を選択し、コンテンツ受信処理を行う。
【００２０】
通信制御部１０３は、無線通信部１０２から受信した、受信電波環境を利用して通信を制御することも可能である。例えば、移動中に現在通信をしている基地局よりも電波環境の値が大きい基地局が見つかった場合には、無線通信部１０２を制御して、通信先を切替えるハンドオフ処理を行い、シームレスな通信を実現する制御なども行う。また、後述するコンテンツ受信判定部１０５からの判定結果を基に通信制御も行う。コンテンツ受信判定部１０５において、コンテンツ受信を実行する判定の場合には、デコード処理部１０４でデコードしたコンテンツ伝送レートに従ったコンテンツ受信処理を実施する。コンテンツ受信判定部１０５においてコンテンツ受信を実施しない判定の場合には、コンテンツ受信処理移行を中止し、無駄な電力消費を抑制する。
【００２１】
コンテンツ受信判定部１０５は、通信制御部１０３から受信した無線通信部１０２の受信電波環境情報と、デコード処理部１０４でデコード処理したコンテンツの伝送レート情報と、後述するコンテンツ受信閾値保存部１０６からコンテンツ伝送レートに対応した受信電波環境閾値とを取得し、これらに応じて現在の受信電波環境でコンテンツ受信実行の有無を判定する。コンテンツ受信判定部１０５が実行するコンテンツ受信判定処理の詳細については、追って詳述する。
【００２２】
コンテンツ受信閾値保存部１０６は、コンテンツ伝送レートに対応する受信電波環境閾値を記憶した情報テーブルを備える。図２に情報テーブルの一例を図示する。図２に図示する通り、情報テーブルは、端末毎の受信特性に合わせて作成可能であり、端末毎に個別調整することにより求められた値を使用することが望ましいが、シミュレーションや実験によって得られた代表値であっても良い。
【００２３】
（２）動作
次に、図３を参照して、上記構成による通信端末１００のコンテンツ受信判定部１０５が実行するコンテンツ受信判定処理の動作を説明する。Ｓ２００において、コンテンツ受信判定部１０５は、まず、コンテンツ受信閾値保存部１０６から、コンテンツの伝送レート毎に設定した受信電波環境の閾値を読込む。設定した受信電波環境とは、ある伝送レートで送信されるコンテンツを受信するために必要な電波環境である。
【００２４】
受信電波環境情報には、いくつかの手法を利用することが考えられる。例えば、受信信号強度表示信号を示すＲＳＳＩ（Received Signal Strength Indicator）や、エネルギー強度を示すＥｃ／Ｉｏや、受信パイロット信号の搬送波対干渉雑音電力比C/I（Carrier to Interference）などを利用することが考えられる。その受信電波環境情報を利用して、１Ｍｂｐｓで伝送されるコンテンツを、ブロードキャスト放送またはマルチキャスト通信で受信する場合には、受信端末はＮdBm（またはdB）（Ｎは整数）以上の電波環境を必要とすることを示すために、１Ｍｂｐｓに対応する電波環境閾値Ｎが対応つけられている。このデータは、実験によって割り出される値などを利用する。
【００２５】
次に、Ｓ２０１では、通信制御部１０３内のデコード処理部１０４にて解析されたメッセージに含まれるコンテンツ伝送レート情報と、通信制御部１０３が監視している通信無線部１０２の受信電波環境情報を取得する。続いて、Ｓ２０２では、コンテンツ受信の実施の有無を判定する。ここでの判定は、Ｓ２０１において取得したコンテンツ伝送レートに対応する受信電波環境閾値をＳ２００で読込んだ情報テーブルから調べ、Ｓ２０１で取得した現在の受信電波環境とその閾値との差異を判定する。
【００２６】
Ｓ２０１にて取得したコンテンツ伝送レートに対応するＳ２００の受信電波環境閾値よりも、Ｓ２０１で取得した現在の受信電波環境が閾値以上の場合には、Ｓ２０３コンテンツ受信を実施する。これに対し、Ｓ２０１で取得したコンテンツ伝送レートに対応するＳ２００の受信電波環境閾値よりも、Ｓ２０１で取得した現在の受信電波環境が閾値以下の場合には、Ｓ２０３コンテンツ受信を実施しない。Ｓ２０２における判定は、Ｓ２０１において取得した受信電波環境に対応するにコンテンツ伝送レートをＳ２００で読込んだ情報テーブルから調べ、そのコンテンツ伝送レートよりもＳ２０１で取得したコンテンツ伝送レートが低い場合には、Ｓ２０３コンテンツ受信を実施し、Ｓ２０１で取得したコンテンツ伝送レートの方が高い場合には、Ｓ２０４コンテンツ受信の実施をしない、という判定方法でも良い。これは、一般的に同じ電波環境がであればコンテンツ伝送レートが低い方が受信失敗が少ないという現象に従った判定である。
【００２７】
これにより、ブロードキャスト放送やマルチキャスト通信を利用して、コンテンツ受信を実施する場合に、コンテンツ受信処理に移行する前に、受信に失敗するか成功するかの目安を確認でき、失敗する可能性が高い場合には、最初からコンテンツ受信を実施しないことにより、消費電力を抑制することができる。つまり、電波環境が閾値以上の状況下で、高伝送レートでコンテンツが送信される場合に、通信失敗になる確率は高いにも関わらず、通信失敗するまでコンテンツ受信を実施することによる端末の電力消費を抑制することができる。
【００２８】
Ｂ．第２実施形態
図４は、本発明の第２実施形態による通信端末１００の構成を示すブロック図である。この図において、第１実施形態と共通する構成要素には、同一の番号を付し、その説明を省略する。図４において、コンテンツ受信閾値保存部４０２は、後述するが、第１実施形態のコンテンツ受信閾値保存部１０６を拡張したもので、更なる付加情報を追加した機能を有する。
【００２９】
表示部４００は、通信制御部１０３の通信状況、例えば通信中、圏外、アンテナピクト表示などや受信したコンテンツ情報を表示し、ユーザに情報を伝える機能を有する。４０１は、ユーザインタフェースであり、ユーザからの入力を受付ける機能を有する。上述の第１実施形態では、端末内で自動的にコンテンツ受信実行の有無を判定する態様としたが、第２実施形態では、表示部４００とユーザインタフェース４０１とを有することにより、コンテンツ受信実行の有無をユーザが好みによって設定することが可能になる。また、表示部４００を搭載したことにより、第１実施形態の様に自動的に判定した場合に、その判定結果をユーザに状況を通知することも可能になる。
【００３０】
コンテンツ受信閾値保存部４０２には、コンテンツ配信時間情報や、コンテンツ伝送レートに対応する受信電波環境の受信成功確率情報や、ユーザが入力したデータを保存可能である。ここで、図５を参照してコンテンツ受信閾値保存部４０２に保存される情報テーブルの一例について説明する。この図に示す情報テーブルには、各コンテンツ伝送レートに対応した受信電波環境と、さらにそれに対応したコンテンツ受信成功確率とが保存されている。
【００３１】
また、コンテンツ受信閾値保存部４０２の情報テーブルには、ユーザインタフェース４０１から直接、４０２保存部に情報を設定でき、ユーザが設定したユーザ受信不可時刻情報や、送信側から送られてくるコンテンツ送信時刻情報も保存される。これらのデータはアプリケーション４０３に合わせたデータを保存可能で、アプリケーション４０３はこれらの情報を利用することで、コンテンツ受信成功率向上とユーザ利便性の向上を図ることが可能になっている。
【００３２】
アプリケーション４０３は、端末上で動作するプログラム群を表し、ユーザインタフェース４０１やコンテンツ受信閾値保存部４０２から直接データの入出力が可能で、表示部４００を操作して、様々なサービスをユーザに提供できる機能を有する。例えば、コンテンツ受信時に「この場所での通信状況では、何％の確率で受信失敗する可能性がありますが、受信を実行しますか？」や「何時にコンテンツ受信が実行される予定なので、今よりも電波環境の良い場所に移動して下さい」などを表示部４００に表示することができ、ユーザは欲しいコンテンツに対して、受信失敗確率を低減できる効果がある。また、例えば、ユーザが電波状況が悪い（通信が良好に行えない）と予想される環境の時間帯（地下鉄に乗る時間や高層ビルの上階で会議がある時間）を、４０２保存部に入力しておくことで、その時間帯のコンテンツ受信になる場合は、あらかじめコンテンツ受信を実施しない様な処理が可能となり、消費電力低減が可能となる。
【００３３】
次に、図６を参照してアプリケーション４０３の実行例を説明する。図６において、６０１は、コンテンツ受信閾値保存部４０２の情報テーブルに従い、現在の受信電波環境でのコンテンツ受信の受信成功を表示し、ユーザに電池を消耗しても受信を試みるかどうかのリスクをユーザ任せにできる例であり、ユーザの嗜好にあった利用する場合に有効である。６０２は、コンテンツ受信閾値保存部４０２の情報テーブルに従い、将来の時刻に放送されるコンテンツを受信するには、現在の場所では受信失敗する場合があることをコンテンツ受信判定部１０５または、アプリケーション４０３で判定して、その結果から、コンテンツ受信開始時刻の前に、ユーザに電波状況の良い場所（電波環境を表す値が大きく、通信が良好に行える場所）に端末を移動させるために表示部４００に通知した例である。
【００３４】
これにより、ユーザは、経験的に既知である電波環境が良い場所に端末を移動させることができ、所望のコンテンツ受信が可能になる。この場合、アプリケーションにおいて、電界強度マップと連動して近くの電波環境が良い場所にユーザを誘導案内しても良い。
【００３５】
６０３は、あらかじめユーザが地下室や地下鉄、高層ビルの上位階で会議を行う予定があり、電波環境の状態が悪い（電波環境を表す値が小さく、通信が良好に行えない）ことが判っている場合に、その時間帯をユーザが設定しておくことで、その時間にはコンテンツ受信処理や本発明のコンテンツ受信判定などを実施しないことにより、さらに消費電力の抑制が可能である例である。６０４は、端末の電池残量と連動して、電池残量が少ない場合に、コンテンツ受信時に電池が尽きて、コンテンツ受信が失敗する可能性があることをユーザに通知する例である。この場合、本発明に従うコンテンツ受信の仕組みに関わらず、電池残容量を優先して監視して、コンテンツ受信実施の有無を決定する。これは、電池の残量をユーザがどう使用するかをユーザが決定できる手段でもあり、ユーザに対する利便性向上に効果がある。さらに、電池残容量が設定した閾値よりも少ない場合には、本発明に従うコンテンツ受信の仕組みに関わらず、コンテンツ受信を実施しない方法も考えられる。
【００３６】
以上説明したように、本発明によれば、コンテンツ受信前に、端末がコンテンツ受信を失敗する可能性が判り、受信環境の劣化により電波状況がある値以下の場合には、コンテンツ受信を実施しないことにより、コンテンツを受信開始から受信失敗するまでの端末の受信動作にかかる無駄な電力消費を抑制することが可能になる。
【００３７】
なお、上述した本発明の各実施の形態は、本発明の説明のための例示であり、本発明の範囲を実施形態にのみ限定する趣旨ではない。当業者は、本発明の要旨を逸脱することなしに、他の様々な態様で本発明を実施できることは言うまでもない。
【図面の簡単な説明】
【００３８】
【図１】本発明の第１実施形態の構成を示すブロック図である。
【図２】コンテンツ受信閾値保存部１０６に保存される情報テーブルの一例を示す図である。
【図３】コンテンツ受信判定処理の動作を示すフローチャートである。
【図４】本発明の第２実施形態の構成を示す図である。
【図５】コンテンツ受信閾値保存部４０２に保存される情報テーブルの一例を示す図である。
【図６】アプリケーション４０３の実行例を示す図である。
【符号の説明】
【００３９】
１００  通信端末  
１０１  アンテナ
１０２  無線通信部  
１０３  通信制御部  
１０４  デコード処理部
１０５  コンテンツ受信判定部
１０６  コンテンツ受信閾値保存部
【図１】
2006333160.tif 000003
【図２】
2006333160.tif 000004
【図３】
2006333160.tif 000005
【図４】
2006333160.tif 000006
【図５】
2006333160.tif 000007
【図６】
2006333160.tif 000008